(57)【要約】【課題】小さい回路規模で且つ少ない演算量によってフレーム番号を取得する。【解決手段】  １フレームが所定のシンボル数で構成され、各フレームに含まれるフレーム同期信号が他のフレームのフレーム同期信号を所定の法則を用いてシンボル単位でシフトさせて得られる部分を含む受信信号が与えられて、シンボル毎のカウント値をシンボル番号として出力するシンボルカウンタと、受信信号に含まれる複数種類のフレーム同期信号のうちの少なくとも１つに基づく同期系列を記憶する系列記憶部と、同期系列と受信信号とのパターンマッチングを行うパターンマッチング部と、パターンマッチング処理結果に基づいて各フレームのフレーム同期信号を検出し、検出タイミングのシンボル番号を出力するタイミング検出部と、タイミング検出部からのシンボル番号と所定の法則とに基づいて、受信信号のフレーム番号を取得するフレーム番号取得部とを具備する。【選択図】図１
2010206511.tif 000002
【特許請求の範囲】
【請求項１】
１フレームが所定のシンボル数で構成され、各フレームに含まれるフレーム同期信号が他のフレームのフレーム同期信号を所定の法則を用いてシンボル単位でシフトさせて得られる部分を含む受信信号が与えられて、シンボル毎にカウントアップしてカウント値をシンボル番号として出力するシンボルカウンタと、
前記受信信号に含まれる複数種類のフレーム同期信号のうちの少なくとも１つに基づく同期系列を記憶する系列記憶部と、
前記系列記憶部が記憶した同期系列と前記受信信号とのパターンマッチングを行うパターンマッチング部と、
前記パターンマッチング部のパターンマッチング処理結果に基づいて前記各フレームのフレーム同期信号を検出し、検出タイミングにおける前記シンボル番号を出力するタイミング検出部と、
前記タイミング検出部からの前記シンボル番号と前記所定の法則とに基づいて、前記受信信号のフレーム番号を取得するフレーム番号取得部と
を具備したことを特徴とするフレーム番号検出装置。
【請求項２】
１フレームが所定のシンボル数で構成され、各フレームに含まれるフレーム同期信号が他のフレームのフレーム同期信号を所定の法則を用いてシンボル単位でシフトさせて得られる部分を含む受信信号が与えられて、シンボル毎にカウントアップしてカウント値をシンボル番号として出力するシンボルカウンタと、
前記受信信号に含まれる複数種類のフレーム同期信号のうちの少なくとも１つに基づく同期系列を生成する系列生成部と、
前記系列生成部が生成した同期系列と前記受信信号とのパターンマッチングを行うパターンマッチング部と、
前記パターンマッチング部のパターンマッチング処理結果に基づいて前記各フレームのフレーム同期信号を検出し、検出タイミングにおける前記シンボル番号を出力するタイミング検出部と、
前記タイミング検出部からの前記シンボル番号と前記所定の法則とに基づいて、前記受信信号のフレーム番号を取得するフレーム番号取得部と
を具備したことを特徴とするフレーム番号検出装置。
【請求項３】
前記フレーム番号取得部は、
前記タイミング検出部からの前記シンボル番号を平均化することにより、基準となるフレーム番号に対応する前記シンボル番号を推定して基準シンボル番号として出力する平均化部と、
前記平均化部からの基準シンボル番号と前記シンボルカウンタからのシンボル番号とに基づいて、前記受信信号のフレーム番号を検出するフレーム番号検出部と、
を具備したことを特徴とする請求項１又は２に記載のフレーム番号検出装置。
【請求項４】
前記平均化部は、
所定のタイミング、所定の周期又は連続的に前記平均化処理を行うことを特徴とする請求項３に記載のフレーム番号検出装置。
【請求項５】
前記受信信号は、時間軸領域データ又は周波数軸領域データであることを特徴とする請求項１乃至４のいずれか１つに記載のフレーム番号検出装置。
【発明の詳細な説明】
【技術分野】
【０００１】
本発明は、放送及び通信分野における伝送データ中からフレーム番号を取得するフレーム番号検出装置に関する。
【背景技術】
【０００２】
放送及び通信分野においては、フレーム等の一定長のブロック単位でデータ伝送が行われる。受信装置は、伝送データ中にフレーム単位で格納されているフレーム同期信号等の識別子を検出し、これによりフレーム同期を確立して、フレーム単位での復調処理を行っている。
【０００３】
例えば、中国（中華人民共和国）地上デジタル放送規格のＤＴＭＢ（Digital Terrestrial Multimedia Broadcast）においては、フレームは、フレームボディ（以下、ＦＢともいう）とフレームヘッダー（以下、ＦＨともいう）とによって構成されている。フレームボディには、変調されたソースストリームデータとシステム情報とが組み合わさった３７８０個のシンボルが格納されている。また、フレームヘッダーには、フレームを識別するための既知の擬似ランダムノイズ系列（以下、ＰＮ系列という）が格納されている。
【０００４】
フレームヘッダーのＰＮ系列は、ＬＦＳＲ（線形帰還シフトレジスタ）によって生成される。ＬＦＳＲは、周期性を有する既知のＰＮ系列を生成することができ、生成多項式で定義された生成系列ＰＮ２５５を循環拡張することで、既知のフレームヘッダーを得ている。フレームヘッダーが既知のＰＮ系列であることから、フレームヘッダーは、フレーム同期の検出に用いられるだけでなく、パイロット信号としても用いられて、伝送路応答推定等の復調処理に利用可能である。
【０００５】
ＤＴＭＢは、ＦＨモード１〜ＦＨモード３の３つのモードを有しており、ＦＨモード１，ＦＨモード３は、フレームヘッダーのＰＮ系列が毎フレーム同一パターンではなく、フレーム単位で変化するパターンを有する。従って、これらのＦＨモード１，ＦＨモード３において、フレームヘッダーのＰＮ系列をパイロット信号として利用するためには、フレーム単位でフレームヘッダーのＰＮ系列を推定する必要がある。
【０００６】
ＬＦＳＲは、ＬＦＳＲに設定する初期値の相違によって、２５５種類のＰＮ系列を生成することができる。ＦＨモード１，ＦＨモード３においては、フレームヘッダーに採用されるＰＮ系列パターンは、ＬＦＳＲによって発生可能な２５５種類のＰＮ系列のうちの一部のＰＮ系列である。ＦＨモード１，ＦＨモード３では、各フレームヘッダーのＰＮ系列は、ＬＦＳＲの初期値に夫々対応し、各フレームに割り当てられたフレーム番号とＬＦＳＲの初期値との対応は、規格書において規定されている。
【０００７】
ＤＴＭＢでは、モードに応じた所定個数のフレームによって１スーパーフレームが定義される。１スーパーフレームの時間長は１２５ｍｓに固定されており、ＧＰＳ等の時間照合が必要なシステムでの利用が想定されている。フレーム番号を推定することによって、スーパーフレーム同期の確立が可能である。
【０００８】
また、フレーム番号を推定することは、その時点のフレームにおけるＰＮ系列を完全に推定したことと等価であり、パイロット信号が完全に推定できたことになる。従って、フレーム番号を検出できれば、復調性能の改善を期待することができる。
【０００９】
ところで、フレーム番号を取得する方法としては、パターンマッチングによる手法が考えられる。フレームヘッダーに採用されるＰＮ系列に対応したＬＦＳＲの初期値のテーブルを用意し、このテーブルを利用して、各フレームヘッダーのＰＮ系列に対するパターンマッチングによって、現フレームのフレーム番号を判定するのである。
【００１０】
しかしながら、この手法では、ＬＦＳＲの初期値を保持するために比較的大きなサイズのテーブルが必要であり、回路規模が増大するという欠点がある。
【００１１】
なお、特許文献１においては、同期補足用の相関演算器を小規模化すると共に低消費電力化するマッチドフィルタ及びマッチドフィルタの相関検出方法が開示されている。しかしながら、特許文献１の技術を利用してフレーム番号を検出しようとすると、フレーム番号の数に応じて相関演算回数が増加し、フレーム番号の検出に極めて長時間を要してしまうという問題があった。
【先行技術文献】
【特許文献】
【００１２】
【特許文献１】特開２００６−１４０５１公報
【発明の概要】
【発明が解決しようとする課題】
【００１３】
本発明は、小さい回路規模で且つ少ない演算量によってフレーム番号を取得することができるフレーム番号検出装置を提供することを目的とする。
【課題を解決するための手段】
【００１４】
本発明の一態様のフレーム番号検出装置は、１フレームが所定のシンボル数で構成され、各フレームに含まれるフレーム同期信号が他のフレームのフレーム同期信号を所定の法則を用いてシンボル単位でシフトさせて得られる部分を含む受信信号が与えられて、シンボル毎にカウントアップしてカウント値をシンボル番号として出力するシンボルカウンタと、前記受信信号に含まれる複数種類のフレーム同期信号のうちの少なくとも１つに基づく同期系列を記憶する系列記憶部と、前記系列記憶部が記憶した同期系列と前記受信信号とのパターンマッチングを行うパターンマッチング部と、前記パターンマッチング部のパターンマッチング処理結果に基づいて前記各フレームのフレーム同期信号を検出し、検出タイミングにおける前記シンボル番号を出力するタイミング検出部と、前記タイミング検出部からの前記シンボル番号と前記所定の法則とに基づいて、前記受信信号のフレーム番号を取得するフレーム番号取得部とを具備したことを特徴とする。
【００１５】
また、本発明の他の態様のフレーム番号検出装置は、１フレームが所定のシンボル数で構成され、各フレームに含まれるフレーム同期信号が他のフレームのフレーム同期信号を所定の法則を用いてシンボル単位でシフトさせて得られる部分を含む受信信号が与えられて、シンボル毎にカウントアップしてカウント値をシンボル番号として出力するシンボルカウンタと、前記受信信号に含まれる複数種類のフレーム同期信号のうちの少なくとも１つに基づく同期系列を生成する系列生成部と、前記系列生成部が生成した同期系列と前記受信信号とのパターンマッチングを行うパターンマッチング部と、前記パターンマッチング部のパターンマッチング処理結果に基づいて前記各フレームのフレーム同期信号を検出し、検出タイミングにおける前記シンボル番号を出力するタイミング検出部と、前記タイミング検出部からの前記シンボル番号と前記所定の法則とに基づいて、前記受信信号のフレーム番号を取得するフレーム番号取得部とを具備したことを特徴とする。
【発明の効果】
【００１６】
本発明によれば、小さい回路規模で且つ少ない演算量によってフレーム番号を取得することができるという効果を有する。
【図面の簡単な説明】
【００１７】
【図１】本発明の第１の実施の形態に係るフレーム番号検出装置を示すブロック図。
【図２】ＤＴＭＢのフレームの構成を示す説明図。
【図３】ＤＴＭＢのフレームヘッダーを生成するＬＦＳＲの具体的な回路構成を示す回路図。
【図４】横軸にシンボル番号をとり縦軸に相関値をとってパターンマッチングの相関結果を示すグラフ。
【図５】ＤＴＭＢの放送信号のフレームヘッダーのＰＮ系列の配置を説明するための説明図。
【図６】第１の実施の形態の動作を説明するための説明図。
【図７】第１の実施の形態の動作を説明するための説明図。
【図８】第１の実施の形態の動作を説明するための説明図。
【図９】第１の実施の形態の動作を説明するための説明図。
【図１０】本発明の第２の実施の形態を示すブロック図。
【発明を実施するための形態】
【００１８】
以下、図面を参照して本発明の実施の形態について詳細に説明する。
【００１９】
（第１の実施の形態）
図１は本発明の第１の実施の形態に係るフレーム番号検出装置を示すブロック図である。本実施の形態はＤＴＭＢのフレーム番号の取得に適用した例である。
【００２０】
先ず、図２乃至図４を参照してＤＴＭＢの放送信号について説明する。図２はＤＴＭＢのフレームの構成を示し、図２（ａ）乃至（ｃ）は夫々ＦＨモード１〜ＦＨモード３を示している。図３はＤＴＭＢのフレームヘッダーを生成するＬＦＳＲの具体的な回路構成を示す回路図である。
【００２１】
図２に示すように、ＤＴＭＢの各フレームは、フレームヘッダー（ＦＨ）とフレームボディ（ＦＢ）によって構成される。フレームボディはいずれのモードにおいても、３７８０シンボル長に構成される。フレームヘッダーのシンボル長はモード毎に異なり、ＦＨモード１では４２０シンボル長、ＦＨモード２では５９５シンボル長、ＦＨモード３では９４５シンボル長である。
【００２２】
図３（ａ）はＦＨモード１のフレームヘッダーを生成するＬＦＳＲの構成を示し、図３（ｂ）はＦＨモード３のフレームヘッダーを生成するＬＦＳＲの構成を示している。図３（ａ）に示すＬＦＳＲは、縦続接続された８個の遅延器Ｄ１〜Ｄ８及び３個の加算器によって構成されている。図３（ａ）のＬＦＳＲは、各遅延器Ｄ１〜Ｄ８に所定の初期値が与えられると、ＦＨモード１の所定のフレームのフレームヘッダーのＰＮ系列を生成することができる。同様に、図３（ｂ）に示すＬＦＳＲは、縦続接続された９個の遅延器Ｄ１〜Ｄ９及び３個の加算器によって構成されている。図３（ｂ）のＬＦＳＲは、各遅延器Ｄ１〜Ｄ９に所定の初期値が与えられると、ＦＨモード３の所定のフレームのフレームヘッダーのＰＮ系列を生成することができる。
【００２３】
図１の受信信号は、ＦＨモード１又はＦＨモード３のＤＴＭＢ放送信号である。この放送信号は、図示しないアンテナよって受信され、図示しないＡ／Ｄコンバータによってデジタル化されて得られたものである。受信信号はパターンマッチング部１１及びシンボルカウンタ１２に供給される。シンボルカウンタ１２は受信信号の１フレームを構成するシンボル数でリセットされて、受信信号の各シンボルが入力される毎にカウントアップして、カウント値（以下、シンボル番号という）をタイミング検出部１４に出力する。
【００２４】
同期系列記憶部１３は、受信信号のフレームヘッダーに含まれるＰＮ系列の一部又は全部と同じパターン（以下、同期系列という）を記憶している。パターンマッチング部１１には、同期系列記憶部１３からの同期系列も与えられる。
【００２５】
パターンマッチング部１１は、受信信号の各シンボルが順次入力されて、所定シンボル長の受信信号と同期系列記憶部１３からの同期系列とのパターンマッチング処理を行い、受信信号と同期系列記憶部１３からの同期系列との相関結果をタイミング検出部１４に出力する。
【００２６】
なお、パターンマッチング部１１におけるパターンマッチング処理としては、種々の方法を採用することができ、例えばスライディング相関やマッチングフィルタ処理等が考えられる。例えば、パターンマッチング部１１からはインパルス形状の相関性を示す相関波形が出力される。
【００２７】
図４は横軸にシンボル番号をとり縦軸に相関値をとってパターンマッチングの相関結果を示すグラフである。図４に示すように、パターンマッチング部１１からは所定のシンボル数期間毎に、極めて相関値が高い相関結果が出力される。極めて高い相関値は、パターンマッチング部１１によるパターンマッチング処理において、受信信号に含まれるＰＮ系列の一部又は全部と同期系列記憶部１３からの同期系列との一致が検出されたタイミングにおいて得られる。
【００２８】
タイミング検出部１４は、相関値が最大となる相関結果が得られたタイミングを検出し、検出したタイミングにおけるシンボルカウンタ１２からのシンボル番号を同期検出シンボル番号として平均化部１５及びフレーム番号検出部１６に出力するようになっている。
【００２９】
図５はＤＴＭＢの放送信号のフレームヘッダーのＰＮ系列の配置を説明するための説明図である。図５は例えばＦＨモード１におけるＰＮ系列を示しているがＦＨモード３においてもＰＮ系列は同様に配置される。図５において、フレーム番号０，１，…は、ＦＨモード１の１スーパーフレームを構成する１番目、２番目、…のフレームに対応する。図５においては、フレーム番号０のフレームヘッダーを構成する４２０シンボルのＰＮ系列が系列Ａであることを示している。そして、図５では、次のフレーム番号１のフレームにおいてフレーム番号０のフレームの系列Ａが１シンボルだけ前方にシフトしたシンボル番号１〜４１９がフレームヘッダー期間に含まれ、次のフレーム番号２のフレームにおいて、フレーム番号０のフレームの系列Ａが１シンボルだけ後方にシフトしたシンボル番号０〜４１８がフレームヘッダー期間に含まれることを示している。」
同様に、図５は、次のフレーム番号３のフレームにおいては、フレーム番号０のフレームの系列Ａが２シンボル分だけ前方にシフトしたシンボル番号２〜４１９がフレームヘッダー期間に含まれ、、次のフレーム番号４のフレームにおいては、フレーム番号０のフレームの系列Ａが２シンボル分だけ後方にシフトしたシンボル番号０〜４１７がフレームヘッダー期間に含まれることを示している。
【００３０】
以後同様に、ＤＴＭＢの放送信号のフレームヘッダーのＰＮ系列は、フレーム番号が１つ変化する毎にシフトする方向が変化すると共に、フレーム番号が２つ変化する毎に、シフト量が１シンボル分だけ増加又は減少する。即ち、各フレームのフレームヘッダーには、系列Ａの一部が含まれる。
【００３１】
同期系列記憶部１３はこの系列Ａに相当する同期系列を保持し 、パターンマッチング部１１は、受信信号と系列Ａとを順次比較する。そして、タイミング検出部１４は、パターンマッチング部１１の出力から、順次入力される受信信号に含まれる系列Ａの検出タイミングを取得する。いずれのフレームにも系列Ａの一部が含まれていることから、フレーム毎相関値のピークが現れ、そのピーク位置は、図５の特性に応じてフレーム番号に対応するシンボル数だけシフトしたものとなる。
【００３２】
例えば、タイミング検出部１４において、系列Ａを最初に検出したタイミングを基準に、次に１シンボル分だけ早く系列Ａが検出され、次いで１シンボル分だけ遅く系列Ａが検出されるものとする。この場合には、最初に検出された系列Ａはフレーム番号０に含まれる系列であるものと推定することができる。
【００３３】
シンボルカウンタ１２は、所定のシンボルタイミングで初期値にセットされ、受信信号が１シンボル分入力される毎にカウントアップし、以後１フレームのシンボル数毎にリセットされる。従って、シンボルカウンタ１２からのカウント値（シンボル番号）と１フレーム中の各シンボルの位置とは１対１に対応する。シンボルカウンタ１２からのシンボル番号を基準に、系列Ａの検出タイミングを求めることで、系列Ａが１フレーム中のいずれの位置に挿入されているかを判別することができる。
【００３４】
フレーム番号取得部を構成する平均化部１５は、タイミング検出部１４からの同期検出シンボル番号を平均化する。例えば、平均化部１５は、連続して入力される２つ以上の同期検出シンボル番号を平均化する。連続した２つ以上の同期検出シンボル番号を平均化すると、後述するようにフレーム番号０に対応するシンボル番号が得られる。平均化部１５は平均化によって得たフレーム番号０に対応するシンボル番号を、基準シンボル番号としてフレーム番号検出部１６に出力する。
【００３５】
フレーム番号取得部を構成するフレーム番号検出部１６は、タイミング検出部１４から順次同期検出シンボル番号が与えられており、現在の同期検出シンボル番号と基準シンボル番号の比較及び順次入力される同期検出シンボル番号の遷移状態によって、現在受信中のフレーム番号を検出してその情報を出力するようになっている。
【００３６】
次に、図６乃至図９の説明図を参照して実施の形態の動作について説明する。図６乃至図９は横軸にフレーム番号をとり縦軸にシンボル番号をとって、同期検出シンボル番号とフレーム番号との関係を示している。
【００３７】
シンボルカウンタ１２は、任意のタイミングで初期値にセットされる。従って、フレームの先頭のシンボルについてのシンボルカウンタ１２の出力であるシンボル番号の値は不明である。パターンマッチング部１１は、同期系列記憶部１３から受信信号のフレームヘッダーのＰＮ系列の一部又は全部に対応する同期系列が与えられ、受信信号と同期系列とのパターンマッチング処理を行う。受信信号が１シンボル分が入力される毎に、シンボル番号がカウントアップしながら、パターンマッチング処理が行われる。ＦＨモード１の場合には、タイミング検出部１４から出力されるシンボル番号は０〜４１９９番のいずれかとなる。
【００３８】
パターンマッチング部１１からの相関結果はタイミング検出部１４に与えられ、タイミング検出部１４は相関値がピークとなるタイミングにおいて同期系列が検出されたものと判断して、そのタイミングのシンボルカウンタ１２のカウント値（シンボル番号）を同期検出シンボル番号として出力する。なお、同期検出シンボル番号はフレーム毎に検出される。
【００３９】
図６はＦＨモード１において毎フレーム検出された同期検出シンボル番号を黒丸にて示している。ＰＮ系列の配置が図５の特性を有することから、図６に示すように、フレーム番号が１つ変化する毎に、同期検出シンボル番号は増減を繰返し、その増減量はフレーム番号０に近づくほど小さくなる。なお、同期検出シンボル番号を示す黒丸は、図６乃至図９の実線上に現れるが、図６乃至図９では、図面の簡略化のために、一部の黒丸のみを示している。
【００４０】
本実施の形態においては、同期検出シンボル番号が図６の特性を有することを利用して、３個以上の同期検出シンボル番号を検出するのみで、フレーム番号０のシンボル番号（基準シンボル番号）を求めると共に、同期検出シンボル番号が得られた現在受信中のフレームのフレーム番号を求めることを可能にしている。
【００４１】
即ち、平均化部１５は、連続した２つ以上の同期検出シンボル番号の平均化によって、フレーム番号０の基準シンボル番号を求める。例えば、図７に示すように、連続する４つの同期検出シンボル番号が１９５、２０５、１９４、２０６であったものとする。即ち、所定の１番目のフレームで検出された同期検出シンボル番号が１９５番、次のフレームで検出された同期検出シンボル番号が２０５番、次のフレームで検出された同期検出シンボル番号が１９４番、次のフレームで検出された同期検出シンボル番号が２０６番であったものとする。
【００４２】
この場合には、平均化部１５は、（１９５＋２０５＋１９４＋２０６）／４＝２００によって、基準シンボル番号が２００であることを検出する。図６に示すように、フレーム番号と同期検出シンボル番号との関係は、フレーム番号０（又は２２４番）を中心線として上下対称となる。この上下対称性を利用すると、平均化部１５によって得られたシンボル番号２００は、フレーム番号０のフレームが入力された場合の同期検出シンボル番号（基準シンボル番号）であることが推定できる。平均化部１５は検出した基準シンボル番号をフレーム番号検出部１６に出力する。
【００４３】
なお、平均化部１５は、２つ以上で偶数個の同期検出シンボル番号の平均化によって、基準シンボル番号を検出することができる。平均化部１５の平均化処理では、割り切れない場合には、四捨五入が行われる。
【００４４】
また、平均化部１５は、タイミング検出部１４から入力されるシンボル番号を順次平均化し、基準シンボル番号を順次出力するようにしてもよい。また、平均化部１５は、電源投入後やチャンネル切換え後等、あるいは所定のフレーム周期で平均化処理を行って、処理結果に基づく基準シンボル番号を保持して出力するようにしてもよい。
【００４５】
フレーム番号検出部１６は、タイミング検出部１４からの現在の同期検出シンボル番号（現同期検出シンボル番号）と、平均化部１５からの基準シンボル番号とに基づいて、現在の受信フレーム番号（現フレーム番号）を算出する。図８及び図９は現在の同期検出シンボル番号が２０７番である場合においてフレーム番号検出部１６の検出動作を説明するためのものである。
【００４６】
ＦＨモード１の場合には、図６に示すように、フレーム番号と同期検出シンボル番号とは、フレーム番号１１２を中心線として左右対称である。従って、図８に示すように、現在の検出された同期検出シンボル番号に対して、２つの現フレーム番号が考えられる。これらの２つの現フレーム番号の候補Ａ，Ｂは、ＦＨモード１では、下記（１）式によって表すことができる。但し、＊は乗算を示す。
【００４７】
現フレーム番号Ａ ＝ （｜現同期検出シンボル番号−基準シンボル番号｜ ＊ ２） − Ｘ
（Ｘ  は  現同期検出シンボル番号  ＜  基準シンボル番号  ならば  １  でなければ  ０）
現フレーム番号Ｂ ＝ ２２５ − （｜現同期検出シンボル番号−基準シンボル番号｜ ＊ ２） − Ｙ
（Ｙ  は  現同期検出シンボル番号  ≧  基準シンボル番号  ならば  １  でなければ  ０）
…（１）
基準シンボル番号が０で現同期検出シンボル番号が２０７であるものとすると、２つの現フレーム番号の候補Ａ，Ｂは、下記（２）式となる。
【００４８】
現フレーム番号Ａ ＝ （｜２０７ − ２００｜ ＊ ２） − ０ ＝ １４
現フレーム番号Ｂ ＝ ２２５ − （｜２０７ − ２００｜ ＊ ２） − １ ＝ ２１０
次に、フレーム番号検出部１６は、これらの２つの候補のうちフレーム番号１１２番よりも大きい番号であるか小さい番号であるかを、過去の同期検出シンボル番号の遷移を利用して求める。例えば、図９は過去の２つの同期検出シンボル番号を利用して、現フレーム番号を求める例を示している。
【００４９】
いま、過去の２つの同期検出シンボル番号をｍ，ｌとする。また、現同期検出シンボル番号をｎとする。図９から明らかなように、現フレーム番号が１１２番よりも小さいならば、｜ｌ｜＜｜ｍ｜＜｜ｎ｜であり、１１２番よりも大きいならば、｜ｌ｜＞｜ｍ｜＞｜ｎ｜である。
【００５０】
従って、フレーム番号検出部１６は、｜ｌ−ｍ｜＜｜ｍ−ｎ｜の場合、現フレーム番号は１１２番よりも下の番号であると判定し、｜ｌ−ｍ｜＞｜ｍ−ｎ｜の場合、現フレーム番号は１１２番よりも上の番号であると判定する。
【００５１】
従って、例えば、タイミング検出部１４において、同期検出シンボル番号が図７のシンボル番号２０６、１９３及び２０７であることが検出された場合には、現同期検出シンボル番号２０７に対応するフレーム番号は、１４番であることがフレーム番号検出部１６において検出される。フレーム番号検出部１６は、検出したフレーム番号の情報を出力する。
【００５２】
なお、フレーム番号検出部１６による現フレーム番号の検出方法としては、上記例に限らず、種々の方法が考えられることは明らかである。例えば、（１）式以外の他の計算式を用いてもよく、あるいは、予めシンボル番号とフレーム番号との関係を記述したテーブルを用意し、このこのテーブルを参照することで、現フレーム番号を求めるようにしてもよい。
【００５３】
このように本実施の形態においては、同期系列記憶部１３に、１つのフレームヘッダーのＰＮ系列の一部又は全部が一致する同期系列のみを保持させればよく、小さい回路規模でフレーム番号の検出が可能である。また、３つの同期検出シンボル番号のみを検出することによって現フレーム番号の算出が可能であり、短時間に少ない演算量で、フレーム番号の検出が可能である。また、フレーム同期が確立していなくても、フレーム番号の検出が可能である。
【００５４】
なお、同期系列記憶部１３としては、上述したように、フレームヘッダーのＰＮ系列のシンボルに完全に一致させる必要はなく、パターンマッチング処理によって最も相関性の高いシンボル番号を特定できるだけのシンボル数だけあればよい。
【００５５】
（第２の実施の形態）
図１０は本発明の第２の実施の形態を示すブロック図である。図１０において図１と同一の構成要素には同一符号を付して説明を省略する。
【００５６】
本実施の形態においては、同期系列記憶部１３に代えて同期系列生成部２３を設けた点が第１の実施の形態と異なる。
【００５７】
同期系列生成部２３は、図３に示すＬＦＳＲと同様の回路によって構成されており、初期値が与えられることで、フレームヘッダーのＰＮ系列を生成することができるようになっている。パターンマッチング部１１には、同期系列生成部２３から同期系列が供給される。
【００５８】
他の構成及び作用効果は第１の実施の形態と同様である。また、本実施の形態においては、記憶すべき同期系列のデータ量が第１の実施の形態よりも小さく、回路規模を一層縮小することができるという利点がある。
【００５９】
また、上記各実施の形態においては、受信信号が時間軸領域データである例を説明したが、受信信号は周波数軸領域データであっても、本発明を同様に適用可能である。
【符号の説明】
【００６０】
１１…パターンマッチング部、１２…シンボルカウンタ、１３…同期系列記憶部、１４…タイミング検出部、１５…平均化部、１６…フレーム番号検出部。
【図１】
2010206511.tif 000003
【図２】
2010206511.tif 000004
【図３】
2010206511.tif 000005
【図４】
2010206511.tif 000006
【図５】
2010206511.tif 000007
【図６】
2010206511.tif 000008
【図７】
2010206511.tif 000009
【図８】
2010206511.tif 000010
【図９】
2010206511.tif 000011
【図１０】
2010206511.tif 000012